(57)【特許請求の範囲】
【請求項１】
左右の側面部と、上下の横面部と、コーナ部とからなり、各側面部の前側に斜辺を有する四角筒状であり、各側面部は、複数の側面部材及び側面補助部材と、側面カバー部材とからなり、側面部材は前側が垂直面であり且つ下に位置する側面部材ほど前方に突出する階段状に連結してあり、側面補助部材は側面部材の前端に各々取付けてあり且つ斜辺と同じ傾斜角度の傾斜面を前面に有し、側面カバー部材は側面補助部材の前面に当接して取付けてあり、各横面部は前側が垂直面の横面部材と横面部材の前端に取付けた横面カバー部材とからなり、コーナ部は側面部材と横面部材とを連結するコーナ部材本体と、コーナ補助部材とからなり、コーナ部材本体は前側が垂直面であり、コーナ補助部材は前面が側面部の斜辺と同じ傾斜角度で傾斜しており、側面カバー部材及び横面カバー部材の両端がコーナ補助部材に当接していることを特徴とするゲーム機用枠。
【請求項２】
横面カバー部材は前面が斜辺と同じ傾斜角度で傾斜しており、横面カバー部材は横面部材の前端部を嵌合する断面略コ字状の嵌合溝を有すると共に嵌合溝内に横面部材の前端面に当接する垂直な当接面を有することを特徴とする請求項１に記載のゲーム機用枠。
【発明の詳細な説明】
【技術分野】
【０００１】
本発明は、スロットマシン等のゲーム機に使用されるゲーム機用枠に関する。
【背景技術】
【０００２】
特許文献１には、左右の側面部の前側に斜辺を有する四角筒状のゲーム機用枠が開示されている。この特許文献１に開示のゲーム機用枠は、樹脂材の金型成形により各面部を製造している。
一方、金属や合板で製造するゲーム機用枠として、発明者らは図７に示すゲーム機用枠を提案した。図７において、（ａ）はカバー部材を外したゲーム機用枠の正面図、（ｂ）はカバー部材を外したゲーム機用枠の側面図、（ｃ）はカバー部材を外したゲーム機用枠の平面図であり、（ｄ）は側面カバー部材の断面図であり、（ｅ）は側面カバー部材の端部を示す正面図、（ｆ）は上横面カバー部材の断面図であり、（ｇ）は上横面カバー部材の端部を示す正面図である。
図７に示すゲーム機用枠は、前側が傾斜した側面視台形の左右の側面部５１と、上下の横面部５３、５５と、コーナ部５７とで四角筒状を成しており、側面視台形の側面部５１は、前端を同じ角度の傾斜面５１ａに切り出した複数の側面部材５９を上下に連結して、側面部材５９の傾斜面５１ａに側面カバー部材６７を取付けている。
また、コーナ部５７では、コーナ部材６１が側面部材５９と、上下の横面部材６３、６５を連結するコーナ部材６１は、その側面部側の前端５７ａを側面部の傾斜辺と同じ角度で切り出して形成している。
更に、上下の横面部材６３、６５は前側が垂直面であるが、前端に設ける側面カバー部材６７と上下の横面カバー部材６９とは図７（ｅ）（ｇ）に示すように、突合せ端を斜めに切断している。尚、上横面カバー部材６９は前面が側面部５１の傾斜辺と同じ角度Ｒで傾斜している。
【０００３】
【特許文献１】特開２００３−２９９７６７号公報
【発明の開示】
【発明が解決しようとする課題】
【０００４】
しかし、特許文献１に開示のゲーム機用枠では、充分な強度が得難いという問題がある。
また、図７に示すゲーム機用枠では、充分な強度を得られるものの、側面部材５９の前端は、側面部５１の斜面と同じ角度の傾斜面に切り出したり、コーナ部材５７の側面部側前端を側面部の斜辺と同じ角度で切り出しているから、製造に手間が係ると共に材料歩留まりが悪くなり、コスト高になるという問題がある。
また、上下の横面カバー部材６７、６９では、コーナ部での突合せ端を一致させるように角度切断しているから、側面部材５９の場合と同様に、製造に手間が係ると共に材料歩留まりが悪くなり、コスト高になるという問題があった。
【０００５】
そこで、本発明は、側面部の前側に斜辺を有する形状であっても、各構成部材を角度切断しないで済むことで製造が容易で材料歩留まりに優れ、且つ強度の高いゲーム機用枠を提供する。
【課題を解決するための手段】
【０００６】
請求項１に記載の発明は、左右の側面部と、上下の横面部と、コーナ部とからなり、各側面部の前側に斜辺を有する四角筒状であり、各側面部は、複数の側面部材及び側面補助部材と、側面カバー部材とからなり、側面部材は前側が垂直面であり且つ下に位置する側面部材ほど前方に突出する階段状に連結してあり、側面補助部材は側面部材の前端に各々取付けてあり且つ斜辺と同じ傾斜角度の傾斜面を前面に有し、側面カバー部材は側面補助部材の前面に当接して取付けてあり、各横面部は前側が垂直面の横面部材と横面部材の前端に取付けた横面カバー部材とからなり、コーナ部は側面部材と横面部材とを連結するコーナ部材本体と、コーナ補助部材とからなり、コーナ部材本体は前側が垂直面であり、コーナ補助部材は前面が側面部の斜辺と同じ傾斜角度で傾斜しており、側面カバー部材及び横面カバー部材の両端がコーナ補助部材に当接していることを特徴とする。
【０００７】
請求項２に記載の発明は、請求項１に記載の発明において、横面カバー部材は前面が斜辺と同じ傾斜角度で傾斜しており、横面カバー部材は横面部材の前端部を嵌合する断面略コ字状の嵌合溝を有すると共に嵌合溝内に横面部材の前端面に当接する垂直な当接面を有することを特徴とする。
【発明の効果】
【０００８】
請求項１に記載の発明によれば、側面部の前側に斜辺を有する四角筒状の枠であっても、側面部材は前側が垂直面であり、上下の横面部材は前側が垂直面であるから、これらの部材の前側を角度切断しないで済む。また、側面カバー部材、上下の横面カバー部材は、各端をコーナ補助部材に突き当てており、カバー部材どうしの突き当てをしないから、各カバー部材の端部を角度切断しないで済む。したがって、本発明の枠は、側面部の前側に斜辺を有する形状であっても、全ての構成部材を角度切断しないで済むので、製造が容易で材料歩留まりに優れる。
各カバー部材は端部を角度切断しないで済むので、鋭利な形状とならず、安全性が高い。
左右の側面部材、上下の横面部材、コーナ部材本体は、各々金属材や木材で製造できるので強度が高い。
【０００９】
請求項２に記載の発明によれば、請求項１に記載の作用効果を奏すると共に、上下の横面カバー部材の前面が側面部の斜辺と同じ角度で傾斜しているので、コーナ補助部材、側面カバー部材、上下の横面カバー部材の前面を同じ角度で傾斜した連続した傾斜面にでき、外観が良い。
上下の横面カバー部材は、各々横面部材の前端部を嵌合する嵌合溝内に横面部材と当接する垂直な当接面を有しているので、横面部材の前端面に横面カバー部材を面接触により取付けでき、前面が傾斜していても横面カバー部材を横面部材の前端部に安定に取付けできる。
【発明を実施するための最良の形態】
【００１０】
以下に、添付図面を参照して本発明の実施の形態を説明する。図１（ａ）はゲーム機用枠の側面部を分解して示す側面図であり、（ｂ）は側面部材と上横面部材とコーナ部材本体を連結した状態の正面図であり、図２はコーナ補助部材の図であり（ａ）は正面図、（ｂ）は側面図、（ｃ）は平面図であり、図３はゲーム機用枠の図であり、（ａ）は正面図、（ｂ）は側面図、（ｃ）は平面図であり、（ｄ）は（ａ）に示す枠のＤ―Ｄ断面図であり、（ｅ）は（ａ）に示す枠のＥ―Ｅ断面図である。
第１実施の形態に係るゲーム機用枠１は、スロットマシンの枠であり、図３に示すように、前側に斜辺を有する側面視台形形状の左右の側面部３、３と、上横面部５と、下横面部７と、コーナ部９とで四角筒状を成している。
左右の側面部３、３は、図１（ａ）に示すように、上下に連結された複数の側面部材１１と、側面補助部材１３と、側面カバー部材１５を有している。
各側面部材１１は、前側が垂直面で、本実施の形態では側面視矩形であり、縦寸法Ｔが略同一であるが、横寸法（前後方向の長さ）Ｈは下方の側面部材１１ほど長くしてあり、後端側を直線状に揃えて配置してあり、前端が階段状を形成している。尚、矩形とは、長方形又は正方形をいう。
また、各側面部材１１は、図１（ｂ）に示すように、中空１７を有するアルミニウム形材であり、上下に互いに嵌合する嵌合部１２ａと被嵌合部１２ｂとが形成されており、隣り合う一方の側面部材１１の嵌合部１２ａに他方の側面部材１１の被嵌合部１２ｂを通して嵌合により連結されている。
図１（ａ）に示すように、側面補助部材１３は、各側面部材１１に取付けるものであり、後側に各側面部材１１の前端に取付ける取付け部１９を有し、前側に台形の斜辺と同じ傾斜角度Ｒの傾斜面２１を有している。取付け部１９は、各側面部材１１の中空１７（図１（ｂ）参照）に前端から嵌めこまれて固定されている。
各側面補助部材１３は、同一の形状で且つ同一寸法であり、例えば樹脂材を射出成形して製造した同種のものが用いられている。
側面カバー部材１５は、図１（ａ）に一点鎖線で抜き出して示すように断面コ字形状であり、コ字の開口側を各側面補助部材に前側から嵌め込んで取付けてある。
上横面部５は、前側が垂直面であり、図３（ｃ）に示すように、本実施の形態では平面視矩形の上横面部材２３を左右に連結してあり、左右に連結した上横面部材２３の前端には上横面カバー部材２５が取付けてある。図１（ｂ）に示すように、上横面部材２３は、側面部材１１と同種の部材であり、左右に設けてある嵌合部１２ａと被嵌合部１２ｂとにより嵌合固定されている。尚、上横面部材２３の前端面は垂直面になっている。
上横面カバー部材２５は、図３（ｄ）に示すように、前面２５ａが台形の斜辺と同じ傾斜角度Ｒで傾斜してあり、前面２５ａの後側に上横面部材２３の前端部が嵌まる嵌合溝２６を有し、嵌合溝２６内には上横面部材２３の前端面が当接する当接面２５ｂが設けてあり、この当接面２５ｂは、上横面部材２３の前端面に一致する垂直面になっている。前面２５ａの傾斜は、当接面２５ｂと前面２５ａとの間の肉厚を下方ほど厚くして形成してある。
下横面部７は、図３及び図１（ｂ）に示すように、上横面部５と同じ構成であり、平面視矩形の下横面部材２７と下横面部材２７の前端に取付ける下横面カバー部材２９を有し、下横面部材２７は上横面部材２３と同種のものが用いられており、下横面部材２７の前端面は垂直面になっている。
下横面カバー部材２９は、図３（ｅ）に示すように、前面２９ａが台形の斜辺と同じ傾斜角度Ｒで傾斜してあり、前面２９ａの後側に下横面部材２７の前端が嵌まる嵌合溝３０を有し且つ下横面部材２７の前端面が当接する当接面２９ｂは、下横面部材２７の前面に一致する垂直面になっている。前面２９ａの傾斜は、当接面２９ｂと前面２９ａとの間の肉厚を下方ほど厚くして形成してある。
コーナ部９は、図３に示すように、四角筒形状の枠１の４つの角部に各々設けてあり、図１に示すように、コーナ部材本体３１と、コーナ部材本体３１の前端に取付けるコーナ補助部材３３とを有している。
コーナ部材本体３１は、前側面が垂直面であり、図１（ｂ）に示すように前面視Ｌ字形状であり且つ図３に示すように側面視矩形で且つ平面視矩形を成している。このコーナ部材本体３１は、図１（ｂ）に示すように、Ｌ字の一側が上横面部材２３又は下横面部材２７に嵌合により連結し、Ｌ字の他側が側面部材１１に嵌合により連結している。
コーナ補助部材３３は、射出成形により製造された樹脂製部材であり、図２に示すように、後側に取付部３３ｂを有し、前面３３ａが側面部３の台形の斜辺と同じ傾斜角度Ｒで傾斜している。取付部３３ｂは、コーナ部材本体３１の中空３１ａ（図１（ｂ）参照）に前側から嵌めこまれて固定されている。
コーナ補助部材３３は、側面カバー部材１５を載置する側面載置部３３ｃと上横面カバー部材２５（又は下横面カバー部材２９）の上横面置部（又は下横面載置部）３３ｄを有し、側面載置部３３ｃは側面部３の台形の斜辺と同じ傾斜角度Ｒで傾斜している。上横面置部３３ｄは上横面部材２３又は下横面部材２７の前端面に沿う垂直面となっている。
側面載置部３３ｃには、側面カバー部材１５を載置してねじで固定してあり、側面カバー１５の前面１５ａがコーナ補助部材３３の前面３３ａに連続し、上横面カバー部材２５の前面２５ａ及び下横面カバー部材２９の前面２９ａもコーナ補助部材３３の前面３３ａに連続している。
【００１１】
次に、第１実施の形態に係るゲーム機用枠１の製造、作用及び効果について説明する。
ゲーム機用枠１の製造は、側面視矩形の側面部材１１を上下に連結し、上横面部材２３を左右に連結し、下横面部材２７を左右に連結して、側面部材１１と上横面部材２３を各々コーナ部材本体３１に連結し、側面部材１１と下横面部材２７を各々コーナ部材本体３１に連結して四角筒形状に形成する。尚、図１（ｂ）に示すように、これらの各部材１１、２３、２７は隣合う嵌合部１２ａと被嵌合部１２ｂを前後方向に通して連結する。
次に、各側面部材１１の中空１７に前端から側面補助部材１３の取付部１９を嵌め込んで固定し、コーナ部材本体３１の中空３１ａに前側からコーナ補助部材３３を嵌め込んで固定する。
そして、側面カバー部材１５を側面補助部材１３に前側から嵌めこみ、側面補助部材１３の傾斜面（前面）２１とコーナ補助部材３３の側面載置部３３ｃに当接させて、側面カバー部材１５を側面載置部３３ｃにねじで固定する。これにより、側面カバー部材１５の上端及び下端では、側面カバー部材１５の前面１５ａがコーナ補助部材３３の前面３３ａと連続した傾斜面になる。
次に、図３（ｄ）に示すように、上横面カバー部材２５を上横面部材２３の前端に嵌め込み、図２（ａ）（ｃ）に示すように上横面カバー部材２５の各端をそれぞれコーナ補助部材３３の上横面載置部３３ｄに載置してねじで固定する。同様に、図３（ｅ）に示すように、下横面カバー部材２９を下横面部材２７の前端に嵌め込んでコーナ補助部材３３の下横面載置部（上横面載置部３３ｄ）に載置してねじで固定する。
【００１２】
本実施の形態によれば、側面部３の前面に斜辺を有するゲーム機用枠１であっても、側面部材１１は前側が垂直面であり、上横面部材２３及び下横面部材２７は前側が垂直面であるから、これらの部材１１、２３、２７の前端を角度切断しないで済み、側面カバー部材１５、上横面カバー部材２５及び下横面カバー部材２９は、各端部をコーナ補助部材３３に突き当ててカバー部材１５、２５又は２９どうしの突き当てをしないから、各カバー部材１５、２５、２９の端部を角度切断しないで済む。したがって、本発明のゲーム機用枠１は、前側に斜辺有する形状であっても、全ての構成部材を角度切断しないで済むので、製造が容易で材料歩留まりに優れる。
上下に連結する各側面部材１１は平面視矩形の同種のものを長さを変えて用いているので、製造効率が良い。更に、本実施の形態では、側面部材１１の他に、上横面部材２３及び下横面部材２７も、共に平面視矩形の同種のものを長さを変えて用いているので、製造効率が良い。
各カバー部材１５、２５、２９は突合せ端部を角度切断しないで済むので、鋭利な形状とならず、安全性が高い。
側面補助部材１３は、射出成形により製造した同一形状のものを用いて各側面部材１１に取付けて用いることができ、同様に、コーナ補助部材３３も射出成形により製造した同一形状のものを各コーナ部材本体３１に取付けて用いることができるので、生産効率が良い。
上横面カバー部材２５の嵌合溝２６では、上横面部材２３の前面が当接する当接面２５ｂを上横面部材２３の前面に一致する垂直面として、下横面カバー部材２９も同様に、嵌合溝３０では下横面部材２７の前面が当接する当接面２９ｂを下横面部材２７の前面に一致する垂直面にしているので、各カバー材２５、２９を安定に取付けできる。
側面カバー部材１５の前面１５ａ、上横面カバー部材２５の前面２５ａ、下横面カバー部材２９の前面２９ａがコーナ補助部材３３の前面３３ａと連続した傾斜面としているので、外観が良い。
側面部材１１、上横面部材２３、下横面部材２７、コーナ部材本体３１は、各々金属材としているので強度が高い。
【００１３】
次に、本発明の他の実施の形態について説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図４に第２実施の形態を示す。図４（ａ）は第２実施の形態に係るゲーム機用枠の側面部を分解して示す側面図であり、（ｂ）は上下に連結した側面部材を部分的に示す正面図であり、（ｃ）第２実施の形態に係るゲーム機用枠の側面図である。
この第２実施の形態では、側面部材１１の中空部１７にはねじ係合部４１が形成してあり、側面補助部材１３は第１実施の形態のものよりも上下寸法を小さくして側面部材１１の前端の一部に嵌め込み、側面カバー部材１５と共に側面部材１１のねじ係合部４１にねじ４３で側面部材１１に固定している。
この第２実施の形態によれば、上述した第１実施の形態と同様な作用効果を奏すると共に、側面補助部材１３を小さくできる。
【００１４】
本発明は、上述した実施の形態に限らず、本発明の要旨を逸脱しない範囲で種々変形可能である。
例えば、ゲーム機用枠１はスロットマシンに限らず、画面に映像を映して行うゲーム等の他の遊技機器用の枠であっても良い。
側面部材１１、上横面部材２３、下横面部材２７及びコーナ部材本体３１の各部材の材質は、金属材に限らず、合板で合っても良い。
側面補助部材１３やコーナ補助部材３３は樹脂製に限らず、金属製として鋳型で鋳造するものであっても良い。
上横面カバー部材２５及び下横面カバー部材２９は、図５に示すように、傾斜した前面２５ａ（２９ａ）と別に嵌合溝２６（３０）内にある当接面２５ｂ（２９ｂ）を形成する構成であってもよい。また、図６に示すように、当接面２５ｂ（２９ｂ）は上下方向で不連続な面としても良い。
【図面の簡単な説明】
【００１５】
【図１】（ａ）はゲーム機用枠の側面部を分解して示すゲーム機用枠の側面図であり、（ｂ）は側面部材と上横面部材とコーナ部材本体を連結した状態の正面図である。
【図２】コーナ補助部材の図であり（ａ）は正面図、（ｂ）は側面図、（ｃ）は上面図である。
【図３】ゲーム機用枠の図であり、（ａ）は正面図、（ｂ）は側面図、（ｃ）は上面図であり、（ｄ）は（ａ）のＤ―Ｄ断面図であり、（ｅ）は（ａ）のＥ―Ｅ断面図である。
【図４】第２実施の形態に係るゲーム機用枠であり、（ａ）は側面部を分解して示す側面図であり、（ｂ）は上下に連結した側面部材を部分的に示す正面図であり、（ｃ）は側面図である。
【図５】他の実施の形態に係る上横面カバー部材及び下横面カバー部材の断面図である。
【図６】他の実施の形態に係る上横面カバー部材及び下横面カバー部材の断面図である。
【図７】発明者らが以前に提案したゲーム機用枠であり、（ａ）はカバー部材を外した状態の正面図、（ｂ）は側面図、（ｃ）は平面図であり、（ｄ）は側面カバー部材の断面図であり、（ｅ）は側面カバー部材の端部を示す正面図、（ｆ）は上横面カバー部材の断面図であり、（ｆ）は上横面カバー部材の端部を示す正面図である。
【符号の説明】
【００１６】
１      ゲーム機用枠
３      側面部
５      上横面部
７      下横面部
９      コーナ部
１１    側面部材
１３    側面補助部材
１５    側面カバー部材
２１    傾斜面
２３    上横面部材
２５    上横面カバー部材
２５ａ  上横面カバー部材の前面
２５ｂ  当接面
２６    嵌合溝
２７    下横面部材
２９    下横面カバー部材
２９ａ  下横面カバー部材の前面
２９ｂ  当接面
３０    嵌合溝
３１    コーナ部材本体
３３    コーナ補助部材
【図１】
0005066681.tif 000002
【図２】
0005066681.tif 000003
【図３】
0005066681.tif 000004
【図４】
0005066681.tif 000005
【図５】
0005066681.tif 000006
【図６】
0005066681.tif 000007
【図７】
0005066681.tif 000008